(57)【要約】【課題】  ２台のロールスクリーンを並列に取り付けることなく、また、スクリーンを緊張させて縦方向の糸が延びきったり、切れたりする恐れのないロールスクリーン装置を提供すること。【解決手段】  重ね合わせた２枚の編み目状のスクリーン１１、１２の一端が巻取軸２に取り付けられ、この巻取軸を回動させて前記スクリーンが巻き取りもしくは巻き戻されるときに、重ね合わせた２枚のスクリーンが相対移動して編み目位置がずれ、光透過度が変わるようにしたことを特徴とする。【選択図】        図１
2006070493.tif 000002
【特許請求の範囲】
【請求項１】
重ね合わせた２枚の編み目状のスクリーンの一端が巻取軸に取り付けられ、この巻取軸を回動させて前記スクリーンが巻き取りもしくは巻き戻されるときに、重ね合わせた２枚のスクリーンが相対移動して編み目位置がずれるようにしたことを特徴とするロールスクリーン装置。
【請求項２】
前記スクリーンの他端が取付フックに取り付けられ、この取付フックの係止手段が複数位置に設けられていることを特徴とする請求項１記載のロールスクリーン装置。
【請求項３】
前記スクリーンのうち、外側のスクリーンの他端が取付フックに伸縮可能に取り付けられていることを特徴とする請求項２記載のロールスクリーン装置。
【発明の詳細な説明】
【技術分野】
【０００１】
この発明は、建物の窓部等に設置して、採光量を調節することができるロールスクリーン装置に関する。
【背景技術】
【０００２】
建物の窓部等に設置して、採光量を調節することができるロールスクリーン装置としては、それぞれ異なった種類の生地のスクリーンを有する２台のロールスクリーンを並列に取り付けたものがある。この装置では、１台または２台のスクリーンを降ろすことにより採光量を調節している。
【０００３】
そこで、縦糸が伸縮性を有する糸で形成されたスクリーンを採用し、このスクリーンを、ウエイトバーを持って所望高さまで下方に引き延ばすことができるようにしたロールスクリーン装置が提案されている（例えば、特許文献１参照）。
【０００４】
【特許文献１】特開平５−３１１９６２号公報
【発明の開示】
【発明が解決しようとする課題】
【０００５】
前記装置においては、スクリーンの縦方向の糸の緊張度を変更することにより光透過状態を変更して採光量を調節するものであるが、スクリーンを緊張させ、繰り返してスクリーンの縦方向の糸を引っ張ることになるので、次第に縦方向の糸が延びきったり、切れたりする恐れがあり、スクリーンの耐久性に問題がある。
【０００６】
この発明は、上記の点に鑑みてなされたものであり、２台のロールスクリーンを並列に取り付けることなく、また、スクリーンを緊張させて縦方向の糸が延びきったり、切れたりする恐れのないロールスクリーン装置を提供することを目的とする。
【課題を解決するための手段】
【０００７】
請求項１記載の発明のロールスクリーン装置は、重ね合わせた２枚の編み目状のスクリーンの一端が巻取軸に取り付けられ、この巻取軸を回動させて前記スクリーンが巻き取りもしくは巻き戻されるときに、重ね合わせた２枚のスクリーンが相対移動して編み目位置がずれるようにしたことを特徴とする。
【０００８】
請求項２記載の発明のロールスクリーン装置は、請求項１記載のロールスクリーン装置において、前記スクリーンの他端が取付フックに取り付けられ、この取付フックの係合具が複数位置に設けられていることを特徴とする。
【０００９】
請求項３記載の記載の発明のロールスクリーン装置は、請求項２記載のロールスクリーン装置において、前記スクリーンのうち、外側のスクリーンの他端が取付フックに伸縮可能に取り付けられていることを特徴とする。
【発明の効果】
【００１０】
請求項１記載のロールスクリーン装置においては、重ね合わせた２枚の編み目状のスクリーンの一端が巻取軸に取り付けられ、この巻取軸を回動させて前記スクリーンが巻き取りもしくは巻き戻されるときに、重ね合わせた２枚のスクリーンが相対移動して編み目位置がずれ、２枚のスクリーンの光透過状態が変わって採光量を調節することができる。したがって、従来の２台のロールスクリーンを並列に取り付けることなく、また、スクリーンを緊張させて縦方向の糸が延びきったり、切れたりする恐れがないロールスクリーン装置を提供できる。
【００１１】
請求項２記載のロールスクリーン装置おいては、請求項１記載のロールスクリーン装置における効果を奏するとともに、前記スクリーンの他端が取付フックに取り付けられ、この取付フックの係合具が複数位置に設けられているので、スクリーンの他端の取付フックの係止位置を変えることにより、２枚のスクリーンの編み目位置をずらして所望の採光状態を選択できる。
【００１２】
請求項３記載のロールスクリーン装置においては、請求項１及び２記載のロールスクリーン装置における効果を奏するとともに、外側のスクリーンの他端が取付フックに伸縮可能に取り付けられているので、重ね合わせた２枚のスクリーンの相対移動が容易になされる。
【発明を実施するための最良の形態】
【００１３】
この発明を実施するための最良の形態を図面を参照して説明する。
【００１４】
図１はこの発明に係るロールスクリーン装置の側面図、図２はスクリーンの部分拡大斜視図、図３は、２枚のスクリーンの重なり状態を示す説明図である。
図１において、１はスクリーン、２は巻取軸、３は取付フック、４はストッパー、５は伸縮装置、６は係合部である。
【００１５】
スクリーン１は、２枚の編み目状をなすスクリーン１１、１２からなり、互いに重ね合わされて擦動可能とされている。
このスクリーン１（１１、１２）の上方端が、窓部７の上部７１の外方に回動可能に設置された巻取軸２の外周面に取り付けられている。
この巻取軸２は、図示していないが操作チェーンで回動させるようにされているが、電動により遠隔操作するようにしてもよく、従来のロールスクリーン装置において公知の手段が採用される。
【００１６】
スクリーン１（１１、１２）の下端部は、取付フック３に取り付けられるが、両スクリーン１１、１２は、スプリング等の伸縮装置５を介して伸縮可能に取り付けられている。  取付フック３の下端部には、係合環４が設けられており、この係合環４が、窓部７の下部７２の外方の複数位置に設けられた係止手段である係合具６のいずれかの係合杆６１、６２、６３に係合して係止されるようになされている。
【００１７】
各スクリーン１１、１２は、スプリング等の伸縮装置５を介して伸縮可能に取り付けられているので、後述するように、スクリーン１（１１、１２）を巻き取りして（巻き戻して）、外側のスクリーン１１と内側のスクリーン１２が相対移動して編み目位置をずらし、所望の光透過状態が変わったときの状態で回動軸の回動を止め、所望の採光量に調節し、係合環４を係止手段である係合具６の係合杆６１、６２、６３のいずれかに係合して係止されるようになされている。
【００１８】
上記した係合具６の係合杆６１、６２、６３の間隔は、後述するスクリーン１１の横糸１１ａと内側のスクリーン１２の横糸１２ａとのずれ割合に対応する間隔とされる。
なお、８は、回動軸２等を雨水等から保護するカバー体である。
【００１９】
スクリーン１の２枚のスクリーン１１、１２は、図２に示されるとおり、横糸１１ａ（１２ａ）と縦糸１１ｂ（１２ｂ）とから編み目状に形成されている。
そして、この実施例では、２枚のスクリーン１１、１２は、縦糸１１ｂと縦糸１２ｂとをずらした状態で重ね合わされているが、縦糸１１ｂと縦糸１２ｂとが一致した状態で重ね合わせてもよい。
【００２０】
スクリーン１（１１、１２）は、５ｍｍ〜２０ｍｍのメッシュ幅とされ、そのメッシュ幅に対応して糸（横糸、縦糸）の糸幅も２ｍｍ〜１０ｍｍとするのが好ましい。
例えば、スクリーン１（１１、１２）の厚みを０．５ｍｍとし、回動軸２の軸径を２０ｍｍとした場合、回動軸２を一回転させて、スクリーン１（１１、１２）を巻き取り、または巻き戻すとき、外側のスクリーン１１と内側のスクリーン１２とのずれｚは、外側のスクリーン１１の巻き取り（巻き戻し）長さは、２×（０．５＋２０）πｍｍであり、内側のスクリーン１２の巻き取り（巻き戻し）長さは、２×２０πｍｍであるから、
ｚ＝２×（０．５＋２０）π−２×２０π＝π（３．１４ｍｍ）
となる。
【００２１】
したがって、スクリーン１（１１、１２）を回動軸２の一周分の略６．３ｃｍを巻き取り、または巻き戻すときに、外側のスクリーン１１と内側のスクリーン１２とは、略３ｍｍのずれが生ずることになる。
そこで、回動軸２を回動させ、スクリーン１（１１、１２）を巻き取り、または巻き戻すと、図２（Ａ）に示されるように、横糸１１ａ、１２ａが重なっていた外側のスクリーン１１と内側のスクリーン１２とは、横糸１１ａ、１２ａが互いにずれ始めて、光透過度が変わり始め、回動軸２の一周分の略６．３ｃｍを巻き取り、または巻き戻したときには、図２（Ｂ）に示されるように、外側のスクリーン１１と内側のスクリーン１２とは、略３ｍｍのずれが生ずるので、内側のスクリーン１２の横糸１２ａは、外側のスクリーン１１の横糸１１ａ間の略中央部に位置することになり、光透過度が最も小さくなる。
【００２２】
上記したような回動軸２の回動範囲で、外側のスクリーン１１と内側のスクリーン１２とは、横糸１１ａ、１２ａのずれにより、光透過度が最大から最小に変化させることができ、その範囲で、建物の室内に採りいれる光量を調節することができる。
すなわち、外側のスクリーン１１と内側のスクリーン１２が相対移動して編み目位置をずらし、所望の光透過状態になったときに回動軸の回動を止め、取付フック３の下端部の係合環４を、係合具６のいずれかの係合杆６１、６２、６３に係合して、所望の採光量を建物内に取り入れることができる。
【００２３】
上記実施例においては、ロールスクリーン装置は、建物の窓７の外側に設置したが、建物の窓７の内側やその他の場所に設置してもよい。
【産業上の利用可能性】
【００２４】
この発明によれば、重ね合わせた２枚のスクリーンが相対移動して編み目位置がずれるようにして光透過状態を変えて採光量を調節することができるので、従来の２台のロールスクリーンを並列に取り付けることなく、また、スクリーンを緊張させて縦方向の糸が延びきったり、切れたりする恐れがないロールスクリーン装置を提供できる。
【図面の簡単な説明】
【００２５】
【図１】この発明に係るロールスクリーン装置の側面図である。
【図２】スクリーンの部分拡大斜視図である。
【図３】２枚のスクリーンの重なり状態を示す説明図である。
【符号の説明】
【００２６】
１      スクリーン
１１    外側のスクリーン
１２    内側のスクリーン
１１ａ、１２ａ  横糸
１１ｂ、１２ｂ  縦糸
２      巻取軸
３      取付フック
４      係合環
５      伸縮装置
６      係合具
【図１】
2006070493.tif 000003
【図２】
2006070493.tif 000004
【図３】
2006070493.tif 000005